(57)【要約】 【課題】  ゴミ箱の設置が大がかりでなく且つ高コストにならず、また、如何なる路面条件であったとしても転倒することなく見栄え良く設置でき、更に、既設の自動販売機にも比較的簡単に設置できる自動販売機のゴミ箱保持具を提供すること。【解決手段】  足部に立設させた雄ネジ棒８の上部を、販売機本体ＪＨの底面四隅に設けた雌ネジ体７にねじ込んで立設してある自動販売機Ｊの側方に、備え付けられるゴミ箱保持具であって、自動販売機Ｊの一方の側面側に位置する前後の雄ネジ棒８にそれぞれ取り付けられる支持部材２と、前記支持部材２，２相互間に架設される保持フレーム３とを備え、前記保持フレーム３は少なくともゴミ箱の胴部分における前面Ｇ１、後面Ｇ２、自動販売機から離れた側の側面Ｇ３と対面するように形成してある。一対の支持部材２，２と保持フレーム３とが一体形成されたものである。【選択図面】  図１
2005352811.tif 000002
【特許請求の範囲】
【請求項１】
足部に立設させた雄ネジ棒の上部を、販売機本体の底面四隅に設けた雌ネジ体にねじ込んで設置された自動販売機の側方に、備え付けられるゴミ箱保持具であって、自動販売機の一方の側面側に位置する前後の雄ネジ棒にそれぞれ取り付けられる支持部材と、前記支持部材相互間に架設される保持フレームとを備え、前記保持フレームは少なくともゴミ箱の胴部分における前面、後面、自動販売機から離れた側の側面と対面するように形成してあることを特徴とする自動販売機のゴミ箱保持具。
【請求項２】
一対の支持部材と保持フレームとが一体形成されたものであることを特徴とする請求項１記載の自動販売機のゴミ箱保持具。
【請求項３】
保持フレームは立上げ部を有することを特徴とする請求項１又は２記載の自動販売機のゴミ箱保持具。
【請求項４】
保持フレームはパイプ材で構成されていることを特徴とする請求項１乃至３のいずれかに記載の自動販売機のゴミ箱保持具。
【発明の詳細な説明】
【技術分野】
【０００１】
この発明は、清涼飲料水、酒類、お菓子等の自動販売機に関し、特に自動販売機のゴミ箱保持具に関するものである。
【背景技術】
【０００２】
自動販売機は、大部分の販売物が時間に関係なく購入できることから、老若男女を問わず、その利用者は非常に多い。近年は国外、首都圏内・外を問わずあらゆる所に設置されており、設置台数は国内だけでも５００万台以上と言われている。
【０００３】
このように、自動販売機は、その便利さから非常に人気があるが、その反面、自動販売機の存在自体を疑問視する声も聞かれる。その理由は、以下の（１）（２）に示すようなことが多い。
（１）自動販売機の設置場所が必ずしも平面上の安定した場所であるわけではなく、このためゴミ箱が設置されていない場合がある。このような場合、販売対象が飲料水である場合には、空き缶や空になったペットボトルがその周辺に置かれたり、投げ捨てられたりするため、近所からの苦情も非常に多い。
（２）強風や地震等により簡単にゴミ箱が転倒して、その内部のゴミが近辺に散乱し、自動販売機付近だけでなく、かなり離れた場所までもゴミが散乱することがある。
【０００４】
そこで、企業側としても上記問題を解決するため、自動販売機内にゴミ箱を有するものを提案している（例えば、特許文献１。）が、この形態では自動販売機の構造が大がかりになると共に高コストとなるので、その設置台数や設置場所は限られていた。
【０００５】
また、既設の自動販売機に新たにゴミ箱を不用意に転倒しないように取り付けることは困難であり、たとえできたとしても見栄えが悪いものにならざるを得なかった。
【０００６】
したがって、自動販売機を取り扱う業界では、ゴミ箱の設置が大がかりでなく且つ、高コストにならず、また、如何なる路面条件であったとしても転倒することなく設置でき、更に、設置された自動販売機にも比較的簡単に設定できる自動販売機のゴミ箱保持具が開発されることを待ち望んでいる。
【０００７】
なお、近年、自動販売機は、路面条件の悪い場所での設置を可能とするために、自動販売機の底面四隅に埋め込んだ雌ネジ体に、カップ状の足部に立設させた雄ネジ棒を高さ調整可能にねじ込んであり、更には、自動販売機の転倒防止のために、前記足部をアンカー止めされた板状金具により押さえ付けている。
【特許文献１】特開２００１−１０７５８７号
【発明の開示】
【発明が解決しようとする課題】
【０００８】
そこでこの発明では、ゴミ箱の設置が大がかりでなく且つ高コストにならず、また、如何なる路面条件であったとしても転倒することなく見栄え良く設置でき、更に、既設の自動販売機にも比較的簡単に設置できる自動販売機のゴミ箱保持具を提供することを課題とする。
【課題を解決するための手段】
【０００９】
（請求項１記載の発明）
この発明は、足部に立設させた雄ネジ棒の上部を、販売機本体の底面四隅に設けた雌ネジ体にねじ込んで設置された自動販売機の側方に、備え付けられるゴミ箱保持具であって、自動販売機の一方の側面側に位置する前後の雄ネジ棒にそれぞれ取り付けられる支持部材と、前記支持部材相互間に架設される保持フレームとを備え、前記保持フレームは少なくともゴミ箱の胴部分における前面、後面、自動販売機から離れた側の側面と対面するように形成してある。
（請求項２記載の発明）
この発明の自動販売機のゴミ箱保持具は、上記請求項１記載の発明に関し、一対の支持部材と保持フレームとが一体形成されたものである。
（請求項３記載の発明）
この発明の自動販売機のゴミ箱保持具は、上記請求項１又は２記載の発明に関し、保持フレームは立上げ部を有するものとしている。
（請求項４記載の発明）
この発明の自動販売機のゴミ箱保持具は、上記請求項１乃至３のいずれかに記載の発明に関し、保持フレームはパイプ材で構成されている。
【発明の効果】
【００１０】
この発明の自動販売機のゴミ箱保持具によると、ゴミ箱の設置が大がかりでなく且つ高コストにならず、また、如何なる路面条件であったとしても転倒することなく簡単に設置でき、更に、既設の自動販売機にも比較的簡単に設置できる。
【発明を実施するための最良の形態】
【００１１】
以下にこの発明の自動販売機のゴミ箱保持具を実施するための最良の形態としての実施例について詳細に説明する。
【実施例１】
【００１２】
図１はこの発明の実施例１の自動販売機Ｊのゴミ箱保持具１の斜視図、図２は前記ゴミ箱保持具１の分解斜視図、図３は前記ゴミ箱保持具１の部分拡大図、図４は自動販売機Ｊに設置されたゴミ箱保持具１によりゴミ箱Ｇが保持されている状態の正面図、図５は自動販売機Ｊに設置されたゴミ箱保持具１によりゴミ箱Ｇが保持されている状態の側面図を示している。
（一般的な自動販売機Ｊの路面等への取り付け態様について）
自動販売機Ｊは一般に、図１３に示すように、路面Ｒの条件が悪い場所での設置を可能とするため、自販機本体ＪＨの底面四隅に埋め込んだ雌ネジ体７に、工具対応部８０を備えた足部８１に立設させた雄ネジ棒８を高さ調整可能にねじ込んであり、更に、転倒防止のために、アンカー９０により路面Ｒに止められた板状金具９により前記足部８１を押さえ付けるようにしている。
（ゴミ箱Ｇについて）
ゴミ箱Ｇは、図４や図５に示すように、上部開放のゴミ箱本体ＧＨに、投入孔ｈ（空き缶やペットボトル等のゴミを投入するための孔）を有する蓋部ＧＦを被せるようにして成るものであり、前記ゴミ箱本体ＧＨは、前面Ｇ１、後面Ｇ２、自動販売機から離れた側の側面Ｇ３（以下、右側面Ｇ３という）、自動販売機Ｊと対面する側の側面Ｇ４（以下、左側面Ｇ４という）とから構成されている。
（ゴミ箱保持具１及びこれの自動販売機Ｊへの取り付け態様について）
ゴミ箱保持具１は、図１や図２に示すように、自動販売機Ｊの右側面側に位置する前後の雄ネジ棒８，８にそれぞれ取り付けられる支持部材２，２と、前記支持部材２，２相互間に架設される保持フレーム３とを備え、前記保持フレーム３はゴミ箱Ｇの胴部分における前面Ｇ１、後面Ｇ２、右側面Ｇ３と対面するように形成してある。
【００１３】
支持部材２は、図２や図３に示すように、長尺の板材２０により構成されており、一端部に円孔２１、及び中程に円孔２２を穿設してある。前記円孔２１及び円孔２２は、雄ネジ棒８の直径よりも少し大きな直径に設定してある。ここで、この支持部材２は、図１や図３に示すように、円孔２２に上記雄ネジ棒８が挿通され、雌ネジ体７の下面に接触する態様で、ナットＮ，Ｎによる所謂ダブルナットで取り付けられる。この状態では、支持部材２における円孔２１が存在する部分は、図１に示すように、自動販売機Ｊの右側面側に突出しており、他方、支持部材２は、雄ネジ棒８の軸芯を中心として回動するが、支持部材２全体が不用意に下側へ移動しないようになっている。なお、上記ナットＮ，Ｎの雄ネジ棒８への取り付けは、販売機本体ＪＨをジャッキアップして前記雄ネジ棒８を雌ネジ体７から抜き取り、雄ネジ棒８にナットＮ，Ｎを螺入後、再び雄ネジ棒８を雌ネジ体７にねじ込めばよい。
【００１４】
保持フレーム３は、図１〜図３に示すように、パイプを四カ所で折り曲げるようにして構成されており、具体的には、下部に雌螺子体３０ａを収容固定した立上げ部３０，３０と、上記前・後面Ｇ１，Ｇ２と対面する水平部３１，３１と、上記右側側面Ｇ３と対面する水平部３２とから構成されている。なお、この保持フレーム３は、図２や図３に示すように、スプリングワッシャＳＷを介してボルトＢを雌螺子体３０ａにねじ込むようにして取り付けられている。
【００１５】
上記の如く、雄ネジ棒８，８に支持部材２，２がネジ止めされ、更に支持部材２，２に保持フレーム３がネジ止めされた状態では、図１に示すように、自動販売機Ｊの側壁面、水平部３１，３１、及び水平部３２はゴミ箱Ｇを上から落とし込むことができる長方形状のスペースＳを形成している。
（ゴミ箱Ｇをゴミ箱保持具１に取り付ける態様について）
上記スペースＳに、ゴミ箱Ｇをその底面から落とし込むと、図４や図５に示すように、当該ゴミ箱Ｇの胴部の上述した各面は、自動販売機Ｊの側壁面Ｊ１、水平部３１，３１、及び水平部３２と対面することになり、ゴミ箱保持具１によりゴミ箱Ｇが保持されることになる。図４や図５では、路面Ｒは水平な平面としているが、路面条件が悪い場合には図６に示すように、立上げ部３０，３０を長く設定してゴミ箱の胴部を保持させるか、図７に示すように、ゴミ箱本体ＧＨの開放部外周面に形成した張出部ｇを水平部３１，３１，３２で吊り下げるようにすれば、ゴミ箱Ｇは転倒するようなことがない。
（このゴミ箱保持具１を使用した場合の優れた効果について）
(1) 自動販売機に使用されている雄ネジ棒８に支持部材２及び保持フレーム３をネジ止めするだけで、ゴミ箱保持具１を自動販売機Ｊに取り付けることができる。つまり、このゴミ箱保持具１によると、従来の態様の如くゴミ箱保持具１が大がかりにならず、高コストにならない。また、前記の如く大がかりではないので見栄えもよくゴミ箱Ｇを設置できる。
【００１６】
また、既設の自動販売機Ｊにゴミ箱保持具１を取り付ける場合において、支持部材２を雄ネジ棒８の上部に取り付けるためのナットＮ，Ｎは、販売機本体ＪＨをジャッキアップして前記雄ネジ棒８を雌ネジ体７から抜き取り、雄ネジ棒８にナットＮ，Ｎを螺入後、再び雄ネジ棒８を雌ネジ体７にねじ込むだけでよい。したがって、既設の自動販売機Ｊにもゴミ箱保持具１を比較的簡単に設置できる。
(2) 上記（ゴミ箱Ｇをゴミ箱保持具１に取り付ける態様について）で述べたように、図４〜図７に示す如く設置される路面Ｒの条件等が悪くても、ゴミ箱Ｇは自動販売機Ｊの側面、水平部３１，３１、及び水平部３２により保持されている（または水平部３１，３１、及び水平部３２に吊り下げられている）ので、自動販売機Ｊが適正に設置できる限りにおいて、ゴミ箱Ｇは自動販売機Ｊの側面側において適正に設置され、その結果、強風時や地震時においても、自動販売機Ｊが転倒しない限りゴミ箱Ｇが転倒するようなことはない。したがって、ゴミ箱Ｇ内の飲料水の空き缶やペットボトル等が、散乱するようなことが生じない。
(3) 支持部材２は、ダブルナットを少し緩めると、雄ネジ棒８の軸芯を中心として回動できるので、ゴミ箱Ｇの奥行き寸法に応じた様々な保持フレーム３を取り付けることが可能である。
【実施例２】
【００１７】
図８はこの発明の実施例１の自動販売機Ｊのゴミ箱保持具１の斜視図、図９は前記ゴミ箱保持具１の部分拡大図を示している。
【００１８】
この実施例２の自動販売機Ｊのゴミ箱保持具１は、図８や図９に示すように、上記実施例１と基本的には同様であるが、既設の自動販売機Ｊの雄ネジ棒８に対するナットＮ，Ｎの追加作業（ジャッキアップ等）を不要ならしめるために、支持部材２の構造を変えている。
【００１９】
上記支持部材２は、図９に示すように、一枚の板材を中央部で折り曲げると共にその折り曲げ部を支点して両板部分２０ａ，２０ａを重ね合わせた構成してあり、折り曲げ部にボルトＢの挿入孔２３となる湾曲部（外方膨らむ）を、長さ方向中程部に雄ネジ棒８を挟持する挟持部２４となる湾曲部（外方膨らむ）を、それぞれ形成してある。また、この支持部材８では、挿入孔２３から挟持部２４よりも離れた部分に貫通孔２５，２５を穿設してある。
【００２０】
この支持部材２を雄ネジ棒８にを取り付ける場合には、支持部材２の上面を雌ネジ体７の下面に当接させる位置で挟持部２４に雄ネジ棒８が挟み込まれる態様をとり、上記貫通孔２５，２５にスプリングワッシャーＳＷ１を介して挿入されたボルトＢ１をナットＮ１（支持部材８に溶接されている）に強くねじ込む。この状態では、支持部材２は雄ネジ棒８の軸芯を中心として比較的容易に回動するが、支持部材２全体が不用意に下側へ移動するようなことはない。次に、ボルトＢをスプリングワッシャーＳＷを介して挿入孔２３に挿入し、雌螺子体３０ａに強くねじ込む。その後は、実施例１と同様の作業を行えば自動販売機Ｊにゴミ箱保持具１を取り付けることができる。
【００２１】
このゴミ箱保持具１は上記のような構成であるから、実施例１の（このゴミ箱保持具１を使用した場合の優れた効果について）の欄で記載した(1) 〜(3) の全ての効果を有しており、更に、既設の自動販売機Ｊにゴミ箱保持具１を設置する際にジャッキアップを必要としない。
【００２２】
なお、この実施例２の支持部材２では、一枚の板材を中央部で折り曲げると共にその折り曲げ部を支点して両板部分２０ａ，２０ａを重ね合わせて構成してあるが、図１０に示すように、二枚の板部材２０ｂ，２０ｂの一端側相互をボルトＢ２、スプリングワッシャーＳＷ２及びナットＮ２で一体化するようにしてもよい。
【００２３】
(他の実施の形態）
上記実施例では、支持部材２と保持フレーム３とを別部材でネジ結合しているが、これに限定されるものではなく、図１１に示すうに、支持部材２と保持フレーム３とを一本のパイプで形成するようにしてもよい。
【００２４】
上記実施例では、自動販売機Ｊの右側にゴミ箱保持具１を取り付けるようにしたが、これに限定されることなく、自動販売機Ｊの左側に取り付けるようにしてもよい。
【００２５】
図１１のゴミ箱保持具１にかえて、保持フレーム３について、図１２に示すように支持部材２に相当する部分２’と水平部３２との間の部分を傾斜する傾斜部３５とすることもできる。
【図面の簡単な説明】
【００２６】
【図１】この発明の実施例１の自動販売機のゴミ箱保持具の斜視図。
【図２】前記ゴミ箱保持具の分解斜視図。
【図３】前記ゴミ箱保持具の部分拡大図。
【図４】自動販売機に設置されたゴミ箱保持具によりゴミ箱が保持されている状態の正面図。
【図５】自動販売機に設置されたゴミ箱保持具によりゴミ箱が保持されている状態の側面図。
【図６】ゴミ箱保持具を構成する保持フレームの立上げ部を長く設定してゴミ箱の胴部を保持させた状態を示す正面図。
【図７】ゴミ箱本体の開放部外周面に形成した張出部を保持フレームの水平部で吊り下げた状態を示す正面図。
【図８】この発明の実施例２の自動販売機のゴミ箱保持具の斜視図。
【図９】実施例２のゴミ箱保持具の部分拡大図分。
【図１０】他の実施の形態の支持部材の斜視図。
【図１１】他の実施の形態の保持フレームの正面図。
【図１２】他の実施の形態の保持フレームの正面図。
【図１３】一般的な自動販売機Ｊの路面等への取り付け態様を示す部分断面図。
【符号の説明】
【００２７】
Ｊ        自動販売機
ＪＨ      販売機本体
Ｇ        ゴミ箱
Ｇ１      前面
Ｇ２      後面
Ｇ３      右側面
Ｎ        ナット
２        支持部材
３        保持フレーム
７        雌ネジ体
８        雄ネジ棒
３０      立上げ部
３１      水平部
３１      水平部  
【図１】
2005352811.tif 000003
【図２】
2005352811.tif 000004
【図３】
2005352811.tif 000005
【図４】
2005352811.tif 000006
【図５】
2005352811.tif 000007
【図６】
2005352811.tif 000008
【図７】
2005352811.tif 000009
【図８】
2005352811.tif 000010
【図９】
2005352811.tif 000011
【図１０】
2005352811.tif 000012
【図１１】
2005352811.tif 000013
【図１２】
2005352811.tif 000014
【図１３】
2005352811.tif 000015